(57)【要約】      （修正有）【課題】貝殻を用いた花器筆記具等立て容器フラペンスタンドを提供する。【解決手段】ホタテ貝（二枚貝類）２の片面上にさざえ貝（巻貝類）１を固着し、さざえ貝外唇６にサポートリング５を装着し、ホタテ貝２を台座４に固定してさざえ貝１の座りを安定させ、サポートリング５を設けたことを特徴とする。【選択図】図１
2018196980.tif 000002
【特許請求の範囲】
【請求項１】
ホタテ貝（二枚貝類）片面（２）の上にさざえ貝（巻貝類）（１）を固着してさざえ貝外唇（６）にサポートリング（５）を装着したフラペンスタンド
【請求項２】
さざえ貝（巻貝類）（１）の表面棘（３）に針金（３−１）を設けた請求項１のフラペンスタンド
【発明の詳細な説明】
【技術分野】
【０００１】さざえ（巻貝類）の貝殻を用いた新しい容器に関するものである
【背景技術】
【０００２】さざえ．巻貝等を花器筆記用具立てとして使用する事はなかった
【先行技術文献】
【特許文献】
【発明の概要】
【発明が解決しようとする課題】
【０００４】貝殻に花を生けたり筆記具等を立てると転んだり傾いて使用できないこれらの欠点をなくす為になされたものである
【課題を解決する為の手段】
【０００５】ホタテ貝（二枚貝類）片面（２）の上にさざえ貝（巻貝類）（１）を固着さざえ貝外唇（６）にリング保持部（８）を有するサポートリング（５）を装着して台座（９）にホタテ貝（２）を固着するさざえ貝（１）の固着を補強するためさざえ棘（３）内部に針金（３−１）を固着  ホタテ貝（２）に針金通し穴（４）を設けて針金（３−１）を差し込みホタテ貝（２）の内側で折り曲げ接着固定  棘なしさざえ貝（１）は表面にＴ字状の針金を固着して針金通し穴（４）に通し固定  さざえ貝（１）とホタテ貝（２）を直接接着する  サポートリング（５）の一端にダブルｕ字状のリング保持部（８）を設けさざえ貝外唇（６）に差し込み固定してフラペンスタンドを形成する
【発明の効果】
【０００６】さざえ貝（１）をホタテ貝片面（２）に固着して安定にさざえ貝（１）を保持しさざえ貝（１）上部のサポートリング（５）により花筆記具の支点を設け倒れを防止する
【図面の簡単な説明】
【０００７】
【図１】本発明の斜視図である
【図２】本発明の棘部補強図である
【図３】本発明の支持部正面図である
【図４】本発明のダブルサポートリングの斜視図である
【発明の実施を実施するための形態】
【０００８】以下本発明の実施をする為の形態について説明する
（１）ホタテ貝（二枚貝類）片面（２）の上にさざえ貝（巻貝類）（１）を固着さざえ貝外唇（６）にダブルｕ字保持部（８）を有するサポートリング（５）を装着台座（９）にホタテ貝（二枚貝類）（２）の片面を固着する
（２）さざえ貝（１）の固定補強する為さざえ棘（３）の内部に針金（３−１）を固着して２センチ位出しホタテ貝（２）に針金通し穴（４）を設けて針金（３−１）を差し込みホタテ貝（２）の内側で折り曲げ接着固定する棘（３）と二枚貝類（２）の状況により棘を１〜３個位を固定する棘（３）の無いさざえ貝（１）の表面にＴ字状の針金を固着針金通し穴（４）に通し固定さざえ貝（１）とホタテ貝（２）を直接接着固定する
（３）サポートリング（５）の一端にダブルｕ字保持部（８）を設けさざえ貝外唇部（６）の一部に差し込み固定する  ダブルｕ字保持部（８）をゼムクリップ状に設けるサポートリング（５）を多角形状にして設ける  図４サポートリング（５）に小リング（７）を連結して設けて二支点を構成する
（４）ホタテ貝（二枚貝類）片面（２）の上にさざえ貝巻貝等（１）を固着して台座（９）に固定する（容器として他用途に使用出来る）
（５）台座（９）の一部にＵ字状保持台（１０）を設け（スマホ画題等）他器の受け台機能を加え用途を広げる
以上の様な構成によりさざえ貝（１）の座りを安定させサポートリング（５）で支点を設けた事を特徴とする
これを使用するときはサポートリング（５）の中に上から花筆記具等を差し入れ使用する又はそのまま観賞としてサポートリング（５）を外し容器として他用途に使える
【符号の説明】
【０００９】１      さざえ貝（巻貝類）
２      ホタテ貝（二枚貝類）
３      棘
４      針金通し穴
５      サポートリング
６      外唇
７      連結リング
８      リング保持部
９      台座
１０    保持台
３−１  針金
2018196980.tif 000003
【手続補正書】
【提出日】平成29年8月9日(2017.8.9)
【手続補正１】
【補正対象書類名】図面
【補正対象項目名】全図
【補正方法】変更
【補正の内容】
【図１】
2018196980.tif 000004
【図２】
2018196980.tif 000005
【図３】
2018196980.tif 000006
【図４】
2018196980.tif 000007
【手続補正２】
【補正対象書類名】明細書
【補正対象項目名】全文
【補正方法】変更
【補正の内容】
【発明の詳細な説明】
【技術分野】
【０００１】さざえ貝（巻貝類）の貝殻を用いた新しい容器に関するものである
【背景技術】
【０００２】さざえ．巻貝等を花器筆記用具立てとして使用する事はなかった
【先行技術文献】
【特許文献】
【発明の概要】
【発明が解決しようとする課題】
【０００４】さざえ貝巻貝貝類等貝殻に花を生けたり筆記具等を立てると転んだり傾いて使用できないこれらの欠点をなくす為になされたものである
【課題を解決する為の手段】
【０００５】ホタテ貝（二枚貝類）片面（２）の上にさざえ貝（巻貝類）（１）を固着さざえ貝外唇（６）にリング保持部（７）を有するサポートリング（５）を装着して台座（４）にホタテ貝（２）を固着するさざえ貝（１）の固着を補強するためさざえ棘（３）内部に針金（９）を差し込み固着ホタテ貝（２）に針金通し穴（１０）を設けて針金（９）を差し込みホタテ貝（２）の内側で折り曲げ接着固定  棘なしさざえ貝（１）は表面にＴ字状の針金を固着して針金通し穴（１０）に通し固定  さざえ貝（１）とホタテ貝（２）を直接接着する  サポートリング（５）の一端にダブルｕ字状のリング保持部（７）を設けさざえ貝外唇（６）に差し込み固定してフラペンスタンドを形成する
【発明の効果】
【０００６】さざえ貝（１）をホタテ貝片面（２）に固着して安定にさざえ貝（１）を保持しさざえ貝（１）上部のサポートリング（５）により花筆記具の支点を設け倒れを防止する
【図面の簡単な説明】
【０００７】
【図１】  本発明の斜視図である
【図２】  本発明の棘部補強図である
【図３】  本発明の支持部正面図である
【図４】  本発明の他の実施例を示す斜視図である
【発明の実施を実施するための形態】
【０００８】以下本発明の実施をする為の形態について説明する
（１）ホタテ貝（二枚貝類）片面（２）の上にさざえ貝（巻貝類）（１）を固着さざえ貝外唇（６）にダブルｕ字リング保持部（７）を有するサポートリング（５）を装着台座（４）にホタテ貝（二枚貝類）（２）の片面を固着する
（２）さざえ貝（１）の固定補強する為補強棘（８）の内部に針金（９）を固着して２センチ位出しホタテ貝（２）に針金通し穴（１０）を設けて針金（９）を差し込み支持ホタテ貝（２）の内側で折り曲げ接着固定する
棘（３）と二枚貝類（２）の状況により棘を１〜３個位を固定する棘（３）の無いさざえ貝（１）の表面にＴ字状の針金を固着針金通し穴（１０）に通し固定さざえ貝（１）とホタテ貝（２）を直接接着固定する
（３）サポートリング（５）の一端にダブルｕ字リング保持部（７）を設けさざえ貝外唇部（６）の一部に差し込み固定する  ダブルｕ字リング保持部（７）をゼムクリップ状に設けるサポートリング（５）を多角形状にして設ける  図４サポートリング（５）に小リング（１１）を連結して設けて二支点を構成する
（４）ホタテ貝（二枚貝類）片面（２）の上にさざえ貝巻貝等（１）を固着して台座（４）に固定する（容器として他用途に使用出来る）
以上の様な構成によりさざえ貝（１）の座りを安定させサポートリング（５）で支点を設けた事を特徴とする
これを使用するときはサポートリング（５）の中に上から花筆記具等を差し入れ使用する又はそのまま観賞として
【符号の説明】
【０００９】１    さざえ貝（巻貝類）
２    ホタテ貝（二枚貝類）
３    棘
４    台座
５    サポートリング
６    外唇
７    リング保持部
８    補強棘
９    針金
１０  針金通し穴
１１  小リング
【手続補正３】
【補正対象書類名】特許請求の範囲
【補正対象項目名】全文
【補正方法】変更
【補正の内容】
【特許請求の範囲】
【請求項１】
ホタテ貝貝類（２）の上に巻貝（１）を固着して巻貝外唇（６）にサポートリング（５）を装着したフラペンスタンド
【請求項２】
さざえ貝巻貝類（１）の表面棘（３）に針金（９）を設けた請求項１のフラペンスタンド